(57)【要約】【課題】上下のパネルの間にスペーサを挿入する作業を、簡便かつ安全に行うことができるパネルの取外し補助具を提供する。【解決手段】パネル１を積重ねたパネル群Ｐから上のパネル１が持ち上げられた際に、上下のパネル１，１間に形成された隙間80にスペーサを挿入するパネル１の取外し補助具である。ブロック12の上面部13に帯状体22を連結し、ブロック12の上面部13をパネル群Ｐの上下のパネル１，１の側面５に跨って配置する。そして、上のパネル１を持ち上げ、パネル１の側面５に添ったブロッ12クの先端が下のパネル１の側面５から外れると、回動部26を中心として自重によりブロック12の先端が上のパネル１の下面３に向って回動し、ブロック12の先端側Ｓが上下のパネル１，１の間に入る。【選択図】      図１
2004197506.tif 000002
【特許請求の範囲】
【請求項１】
パネルを積重ねたパネル群から上のパネルが持ち上げられた際に、上下のパネル間に形成された隙間にスペーサを挿入するパネルの取外し補助具において、前記スペーサは、前記パネルの側面側で上下のパネルの間に挿入されると共に、上，下面部の先端側が上，下のパネルに接して前記隙間を形成するブロックであり、このブロックの前記上面部に取付体を連結し、前記ブロックの上面部を前記パネル群の上下のパネルの側面に跨って配置した状態で、前記取付体を上のパネルに着脱可能に取り付ける着脱手段を設け、前記ブロックの上面に前記取付体を回動可能に連結したことを特徴とするパネルの取外し補助具。
【請求項２】
前記上面部を水平とした状態で、前記ブロックの重心は該ブロックの回動中心の近傍あるいは該回動中心より上面部の基端側に位置することを特徴とする請求項１記載のパネルの取外し補助具。
【請求項３】
前記パネル群の両側面に対応して前記ブロックと前記取付体とをそれぞれ備え、前記着脱手段は両側の前記取付体同士を上のパネルに着脱可能に連結する連結手段を有することを特徴とする請求項１記載のパネルの取外し補助具。
【請求項４】
前記取付体に前記上のパネルの角部に係止する係止部を設けると共に、この係止部が取付体の長さ方向に移動可能であることを特徴とする請求項１〜３のいずれか１項に記載のパネルの取外し補助具。
【発明の詳細な説明】
【０００１】
【発明が属する技術分野】
本発明は、建築用などのパネルを積重ねたパネル群から上のパネルを取り外す際、上下のパネル間にスペーサを挿入するパネルの取外し補助具に関する。
【０００２】
【従来の技術】
建築現場において、所定寸法に成形した各種のパネルが用いられ、例えば、外壁用の軽量気泡コンクリートパネル（ＡＬＣ）や押出セメントパネルなどが使用される。これらのパネルは上下に積み重ねた状態で現場に搬入され、重ね合わせたパネル群の上から１枚ずつパネルを吊上げて使用される。
【０００３】
また、このようなパネル群からパネルを取り出す装置として、水平アームの一端に挟持板を摺動自在に取付固定し、かつ他端に油圧ジャッキを取り付け固定してなるパネル移設用治具（特許文献１）がある。
【０００４】
また、他にも、走行用の車輪を有する一対の箱型部材と、一対の脚部材と横部材とからなる門型に形成され脚部材が夫々前記箱型部材に昇降可能に挿入された昇降フレームと、一方の箱型部材に配置され且つ前記昇降フレームの一方の脚部材に固着されたナットと螺合して該昇降フレームを昇降させるネジ部材と、前記一対の箱型部材及び昇降フレームに沿って張り渡され一端が一方の箱型部材に固定されると共に他端が他方の箱型部材に挿入された脚部材の端部を通って該箱部材の上方に固定された連動部材と、成形版を把持するためのクランプ手段と、前記昇降フレームの横部材の略中央部に設けられ前記クランプ手段を回動させる回動手段とを有する成形版仕分機があり、積み重ねたパネルを跨ぐようにして仕分機を配置し、箱型部材に配置したネジ部材を回転させると、この回転に応じてナットが昇降し、同時にナットに固着した昇降フレームが昇降する。このとき、昇降フレーム及び箱型部材に沿って連動部材が張り渡されているため、昇降フレームは横部材を水平状態に維持して昇降することが出来る。そして昇降フレームの昇降によってクランプ手段が積み重ねたパネルの最上部にあるパネルと対向したとき、このクランプ手段を操作することでパネルを把持することが出来る。そして昇降フレームを上昇させると共に仕分機を後退させることで、積み重ねたパネルの山から最上部にある１枚のパネルを取り出すこと、即ち、仕分けすることが出来る。この状態で昇降フレームを下降させてパネルを台車に移載することで、該パネルを水平な状態で搬送することが出来る。また回動手段を回動させると、この回動に伴ってクランプ手段が回動し、これによりパネルを小端立てすることが出来る。従って、この状態でパネルを台車に移載することで、該パネルを小端立てした状態で搬送することが出来る（特許文献２）。
【０００５】
これらはそれぞれ専用の装置を使用するものであり、このような装置のない現場では、二人の作業員が積重ねた山から最上部にある１枚のパネルの長手の両端を手で持って仕分けているのが一般的である（特許文献２）。
【０００６】
そして、パネルを吊上げるような場合に、作業員がパネルを持ち上げて、上下のパネルに間に角材などを挿入し、これによりパネル間に隙間を形成し、この隙間を使って吊上げ用帯体などの吊上げ具をパネルに装着する方法がある。
【０００７】
【特許文献１】
実開昭６２−５９６８１号公報
【特許文献２】
特開平５−７９１９２号公報（０００２段）
【０００８】
【発明が解決しようとする課題】
上記のようにパネルを持ち上げ、上下のパネルの間にスペーサとして角材などを挿入する作業を行うには、パネルを持ち上げる作業員と、角材を挿入する作業員の最低２名が必要となり、また、比較的重いパネルを持ち上げるから、作業には十分な注意を必要とし、安全性を確保する必要がある。
【０００９】
そこで、本発明は、上下のパネルの間にスペーサを挿入する作業を、簡便かつ安全に行うことができるパネルの取外し補助具を提供することを目的とする。
【００１０】
【課題を解決するための手段】
請求項１の発明は、パネルを積重ねたパネル群から上のパネルが持ち上げられた際に、上下のパネル間に形成された隙間にスペーサを挿入するパネルの取外し補助具において、前記スペーサは、前記パネルの側面側で上下のパネルの間に挿入されると共に、上，下面部の先端側が上，下のパネルに接して前記隙間を形成するブロックであり、このブロックの前記上面部に取付体を連結し、前記ブロックの上面部を前記パネル群の上下のパネルの側面に跨って配置した状態で、前記取付体を上のパネルに着脱可能に取り付ける着脱手段を設け、前記ブロックの上面に前記取付体を回動可能に連結したものである。
【００１１】
この請求項１の構成によれば、着脱手段により、ブロックの上面部が上下のパネルの側面に跨った状態で、かつブロックの回動中心を上下のパネルの合わせ目にほぼ合わせて上のパネルに取り付ける。そして、上のパネルを持ち上げ、パネル側面に添ったブロックの先端が下のパネルの側面から外れると、回動中心を中心として自重によりブロックの先端が上のパネルの下面に向って回動し、ブロックの先端側が上下のパネルの間に入り、パネルを降ろすことにより、上下のパネルに挟まれる。このようにして上下のパネルの間にブロックが入り、隙間が形成され、この隙間を利用してパネルに吊上げ具を装着する。
【００１２】
また、請求項２の発明は、前記上面部を水平とした状態で、前記ブロックの重心は該ブロックの回動中心の近傍あるいは該回動中心より上面部の基端側に位置するものである。
【００１３】
この請求項２の構成によれば、補助具を取り付けた後、上のパネルを持ち上げ、パネル側面に添ったブロックの先端が下のパネルの側面から外れると、ブロックの回転がスムーズに行われる。
【００１４】
また、請求項３の発明は、前記パネル群の両側面に対応して前記ブロックと前記取付体とをそれぞれ備え、前記着脱手段は両側の前記取付体同士を上のパネルに着脱可能に連結する連結手段を有するものである。
【００１５】
この請求項３の構成によれば、両側の取付体同士を連結することにより、ブロックをパネル群の両側面に配置することができる。
【００１６】
さらに、請求項４の発明は、前記取付体に前記上のパネルの角部に係止する係止部を設けると共に、この係止部が取付体の長さ方向に移動可能であるものである。
【００１７】
この請求項４の構成によれば、取付体に対する係止部の位置を調整し、係止部と回動中心との間の取付体の長さをパネルの厚さと等しく調整することにより、上のパネルの角部に係止部を係止することにより、回動中心が上下のパネルの合わせ目の位置に合わされる。
【００１８】
【発明の実施形態】
以下、本発明の実施形態を、添付図面を参照して説明する。図１〜図７は本発明の第１実施形態を示し、同図に示すパネル１は、外壁用の軽量気泡コンクリートパネルなどの建築用パネルであり、平面長方形形状をなし、それらパネル１，１…を平面同一向きに重ね合わせてパネル群Ｐが形成される。前記パネル１は平行な上面２と下面３とを有し、幅方向端部に位置する側面５，５と、長さ方向端部に位置する側面６，６とを有し、上面２と下面３との間隔が厚さＴである。
【００１９】
パネル１の取外し補助具11は、上下のパネル１，１間の挟まれてスペーサとなる一対のブロック12を有し、このブロック12はほぼ直方体形状をなし、相互に平行な上面部13と下面部14と四つの側面部15，15Ａ，15，15Ａを有し、それら上面部13と下面部14とはブロック12の先端側Ｓから基端側Ｋに長く形成されている。そして、前記ブロック12は先端側Ｓを内側にして上下のパネル１，１の間に挿入される。また、ブロック12は、先端側Ｓと基端側Ｋの側面部15，15と下面部14との角部を面取りした面取り部16が形成されている。
【００２０】
前記ブロック12，12は着脱手段21によりパネル群Ｐに着脱可能に取り付けられ、前記着脱手段21は、前記ブロック12，12に連結する取付体たる帯状体22，22を備え、前記帯状体22の基端側を前記ブロック12の上面部13に連結する。一方の帯状体22の上面に一方の面ファスナー23を設け、他方の帯状体22の下面に他方の面ファスナー23Ａを設け、面ファスナー23，23Ａ同士は着脱可能になっている。すなわち、この例では着脱手段21は、帯状体22，22と面ファスナー23，23Ａにより構成され、面ファスナー23，23Ａが帯状体22，22同士を上のパネル１に着脱可能に連結する連結手段である。
【００２１】
したがって、パネル１の上面２で面ファスナー23，23Ａにより帯状体22を連結すると、パネル群Ｐの側面５にブロック12，12を吊り下げた状態で配置できる。
【００２２】
前記帯状体22は取付金具24により前記ブロック12の上面２に取り付けられ、前記取付金具24は前記ブロック12の一部を構成し、断面略Ｌ字状で山型鋼などからなり、この山型鋼は前記ブロック12より比重が大きくウエートとなる。前記取付金具24を上面部13と基端側Ｋの側面部15に配置するとともに、ブロック12と取付金具24との間に帯状体22を挟み込んで、ビス25などに取付金具24をブロック12に固定することにより、ブロック12の上面２に帯状体22が連結され、この連結箇所の帯状体22が、ブロック12の回動中心たる回動部26となる。
【００２３】
また、図２に示すように、上面部13を水平にした状態で、取付金具24を有するブロック12の重心Ｇは、前記回動部26の位置よりブロック12の先端側Ｐに位置する。また、前記重心Ｇを回動部26の近傍としてもよい。そして、回動部26は線状をなす。
【００２４】
前記帯状体22には、前記パネル１の角部７に係止する係止部31が設けられ、この係止部31には断面略Ｌ字状で山型鋼などからなり、両側に前記帯状体22を挿通する挿通孔32を有する。そして、帯状体22の端部を下面側から一方の挿通孔32に挿通し、係止部31の角部31Ｋの外面に添わせ、外面側から他方の挿通孔32に挿通することにより、前記係止部31が帯状体22に取り付けられ、帯状体22の挿通孔32，32の挿通位置を調整することにより、帯状体22に対して係止部31の位置を調整でき、これにより、係止部31の角部31Ｋと前記回動部26との間の帯状体22の長さを前記パネル１の厚さＴに合わせて調整することができる。
【００２５】
次に、前記取外し補助具11の使用方法につき説明すると、上述したように、角部31Ｋと回動部26との間の帯状体22の長さを、パネル１の厚さＴに合わせ、係止部31を角部７に被せるようにして係止し、両側の帯状体22，22同士を面ファスナー23，23Ａにより連結する（図３）。このようにして上のパネル１に補助具11を取付け、ブロック12の上面部13をパネル１，１の側面５，５に添わせると、回動部26が上下のパネル１，１の合わせ目８位置となり、ブロック12は、その上面部13の先端側Ｓが下のパネル１の側面５、その上面部13の基端側Ｋが上のパネル１の側面５に添い、補助具11のセットが完了する。尚、図１に示すように、補助具11はパネル１の長さ方向一側寄りにセットする。
【００２６】
そして、作業者が、パネル１の長さ方向一側を持ち上げると、ブロック12は上のパネル１と共に持ち上げられ、その上面部13の先端が下のパネル１の上面２より上になると、自重により回動部26を中心に先端側Ｓが持ち上がるようにしてブロック12が回転し、先端側Ｓの面取り部16がパネル１，１間を挿通すると、ブロック12の上面部13が上のパネル１の下面３に添い、この後、作業者は上のパネル１を降ろし、上下のパネル１，１間にブロック12が挿入され、隙間80が形成される（図４）。そして、この隙間80に帯などの吊上げ用具を挿入してパネル１に該吊上げ用具を装着したり、パネル１の下面３に係止する吊上げ用の金具などをパネル１に装着することにより、パネル群Ｐからパネル１を取り外すことができる。尚、図７に示すように、上のパネル１の側面５を水平方向に押してやれば、上のパネル１がずれて該上のパネル１の下面３の一部が下のパネル１の側面５から外側に出るから、ここを持って上のパネル１を持ち上げることができる。
【００２７】
また、上のパネル１を吊上げる前に、面ファスナー23，23Ａによる連結を解除し、さらに、係止部31をパネル１の角部７から外し、図５に示すように、帯状体22をパネル群Ｐの外側に外しておく。こうすると、下のパネル１に載った状態のブロック12は重心Ｇが外側となるから、上のパネル１を持ち上げると、図６に示すように、自重によってブロック12が外側に落ちて外れる。
【００２８】
このように本実施形態では、請求項１に対応した、パネル１を積重ねたパネル群Ｐから上のパネル１が持ち上げられた際に、上下のパネル１，１間に形成された隙間80にスペーサを挿入するパネル１の取外し補助具において、スペーサは、パネル１の側面５側で上下のパネル１，１の間に挿入されると共に、上，下面部13，14の先端側Ｓが上，下のパネル１，１に接して隙間80を形成するブロック12であり、このブロック12の上面部13に取付体たる帯状体22を連結し、ブロック12の上面部13をパネル群Ｐの上下のパネル１，１の側面５に跨って配置した状態で、帯状体22を上のパネル１に着脱可能に取り付ける着脱手段21を設け、ブロック12の上面２に帯状体22を回動可能に連結したから、着脱手段21により、ブロック12の上面部13が上下のパネル１，１の側面に跨った状態で、かつブロック12の回動中心たる回動部26を上下のパネル１，１の合わせ目８にほぼ合わせて上のパネル１に取り付ける。そして、上のパネル１を持ち上げ、パネル１の側面５に添ったブロッ12クの先端が下のパネル１の側面５から外れると、回動部26を中心として自重によりブロック12の先端が上のパネル１の下面３に向って回動し、ブロック12の先端側Ｓが上下のパネル１，１の間に入り、パネル１を降ろすことにより、上下のパネル１，１に挟まれる。このようにして上下のパネル１，１の間にブロック12が入り、隙間80が形成され、この隙間80を利用してパネル１に吊上げ具を装着することができる。
【００２９】
したがって、従来２名以上の作業員を必要とした作業を１名の作業員により安全かつ簡便に行うことができる。
【００３０】
また、このように本実施形態では、請求項２に対応して、上面部13を水平とした状態で、ブロック12の重心Ｇは該ブロック12の回動中心たる回動部26の近傍あるいは該回動部26より上面部13の基端側Ｋに位置するから、補助具11を取り付けた後、上のパネル１を持ち上げ、パネル１の側面５に添ったブロック12の先端が下のパネル１の側面５から外れると、ブロック12の回転がスムーズに行われる。
【００３１】
また、このように本実施形態では、請求項３に対応して、パネル群Ｐの両側面５，５に対応してブロック12，12と取付体たる帯状体22，22とをそれぞれ備え、着脱手段21は両側の帯状体22，22同士を上のパネル１に着脱可能に連結する連結手段たる面ファスナー23，23Ａを有するから、両側の帯状体22，22同士を連結することにより、ブロック12をパネル群Ｐの両側面５，５に配置することができる。
【００３２】
さらに、このように本実施形態では、請求項４に対応して、帯状体22に上のパネル１の角部７に係止する係止部31を設けると共に、この係止部31が取付体たる帯状体22の長さ方向に移動可能であるから、帯状体22に対する係止部31の位置を調整し、係止部31と回動中心たる回動部26との間の帯状体22の長さをパネル１の厚さＴと等しく調整することにより、上のパネル１の角部７に係止部31を係止することにより、回動部26が上下のパネル１，１の合わせ目８の位置に合わされる。したがって、係止部31の位置を調整することにより、厚さＴの異なるパネル１にも容易に使用することができる。
【００３３】
また、実施形態上の効果として、帯状体22，22同士の連結に、該帯状体22，22の長さ方向に所定の長さを有する面ファスナー23，23Ａを用いるから、異なる幅のパネル１にも使用が可能となる。
【００３４】
図８は本発明の第２実施形態を示し、上記第１実施例と同一部分に同一符号を付し、その詳細な説明を省略して詳述すると、この例では、前記係止部31の他方に２の前記挿通孔32，32を設けており、帯状体22の端部を下面側から一方の挿通孔32に挿通し、係止部31の角部31Ｋの外面に添わせ、外面側から角部31Ｋに近い他方の挿通孔32に挿通し、さらに、内面側から隣の挿通孔32に挿通することにより、帯状体22に係止部31を取り付けており、このように係止部31に設ける挿通孔32，32，32の数を増やすことにより、帯状体23に対する係止部31の位置決め効果に優れたものとなる。
【００３５】
尚、本発明は上記実施例に限定されるものではなく本発明の要旨の範囲内において種々の変形実施が可能である。例えば、実施形態では、連結手段として面ファスナーを示したが、これに限定されず、複数のホックやフックなどの着脱可能な各種の連結手段を用いることができる。
【００３６】
【発明の効果】
請求項１の発明は、パネルを積重ねたパネル群から上のパネルが持ち上げられた際に、上下のパネル間に形成された隙間にスペーサを挿入するパネルの取外し補助具において、前記スペーサは、前記パネルの側面側で上下のパネルの間に挿入されると共に、上，下面部の先端側が上，下のパネルに接して前記隙間を形成するブロックであり、このブロックの前記上面部に取付体を連結し、前記ブロックの上面部を前記パネル群の上下のパネルの側面に跨って配置した状態で、前記取付体を上のパネルに着脱可能に取り付ける着脱手段を設け、前記ブロックの上面に前記取付体を回動可能に連結したものであり、上下のパネルの間にスペーサを挿入する作業を、簡便かつ安全に行うことができる。
【００３７】
また、請求項２の発明は、前記上面部を水平とした状態で、前記ブロックの重心は該ブロックの回動中心の近傍あるいは該回動中心より上面部の基端側に位置するものであり、上下のパネルの間にスペーサを挿入する作業を、簡便かつ安全に行うことができる。
【００３８】
また、請求項３の発明は、前記パネル群の両側面に対応して前記ブロックと前記取付体とをそれぞれ備え、前記着脱手段は両側の前記取付体同士を上のパネルに着脱可能に連結する連結手段を有するものであり、上下のパネルの間にスペーサを挿入する作業を、簡便かつ安全に行うことができる。
【００３９】
さらに、請求項４の発明は、前記取付体に前記上のパネルの角部に係止する係止部を設けると共に、この係止部が取付体の長さ方向に移動可能であるものであり、上下のパネルの間にスペーサを挿入する作業を、簡便かつ安全に行うことができる。
【図面の簡単な説明】
【図１】本発明の第１実施形態を示す斜視図である。
【図２】同上、ブロックの重心位置を説明する側面図である。
【図３】同上、パネル群に補助具をセットした状態の側面図である。
【図４】同上、上のパネルを持ち上げてブロックが上下のパネル間に挿入される工程を説明する側面図である。
【図５】同上、取付体を外す工程を説明する側面図である。
【図６】同上、上のパネルを持ち上げてブロックが外れ落ちる状態を設営する側面図である。
【図７】同上、パネル群の平面図であり、図７（Ａ）は重ね合わせた状態、図７（Ｂ）は上のパネルをずらした状態を示す。
【図８】本発明の第２実施形態を示す係止部と取付体の分解斜視図である。
【符号の説明】
１  パネル
２  上面
３  下面
５  側面
６  側面
７  角部
８  合わせ目
11  取外し補助具
12  ブロック
13  上面部
14  下面部
Ｓ  先端側
21  着脱手段
22，22  帯状体（取付体）
23，23Ａ  面ファスナー（連結手段）
26  回動部（回動中心）
Ｇ  重心
31  係止部
80  隙間
Ｐ  パネル群
【図１】
2004197506.tif 000003
【図２】
2004197506.tif 000004
【図３】
2004197506.tif 000005
【図４】
2004197506.tif 000006
【図５】
2004197506.tif 000007
【図６】
2004197506.tif 000008
【図７】
2004197506.tif 000009
【図８】
2004197506.tif 000010